(57)【特許請求の範囲】
【請求項１】
鉛直軸線を有する吊り部材を用いて支持機構の下方に配される間仕切りを吊り下げ支持するとともに、支持機構の案内面に接触する回転走行部材を、吊り部材に鉛直軸線回りに回転可能に装着することにより、間仕切りを支持機構に沿って移動可能とする可動間仕切り用吊りランナー装置において、前記支持機構は、吊り部材の上方に位置する天面板部を有してなり、回転走行部材に対応する軸受に対して吊り部材を鉛直軸線方向に相対移動可能として、間仕切りの吊り部材への吊り込みの際、吊り部材を鉛直軸線方向上向きに相対移動させる際に、吊り部材が支持機構の天面板部と干渉するのを回避するための逃げ部を天面板部に形成したことを特徴とする可動間仕切り用吊りランナー装置。
【請求項２】
吊り部材の鉛直軸線方向に沿って回転走行部材を上下に所定間隔をあけて配設し、これら回転走行部材に対応する上下の軸受の間隔を一定に保った状態でそれら軸受を連結する連結スリーブを吊り部材に摺動可能に装着したことを特徴とする請求項１記載の可動間仕切り用吊りランナー装置。
【請求項３】
支持機構の天面板部に形成した逃げ部に、上昇した吊り部材によって押し開かれる蓋部材を設けたことを特徴とする請求項１又は２記載の可動間仕切り用吊りランナー装置。
【請求項４】
吊り部材が、吊りボルトからなり、該吊りボルトの螺子部に、鉛直軸線を基準に対称位置をなすように一対の平面部を形成されてなることを特徴とする請求項１、２又は３記載の可動間仕切り用吊りランナー装置。
【発明の詳細な説明】
【技術分野】
【０００１】
本発明は、間仕切りを吊り下げ支持するとともに、間仕切りを支持機構に沿って移動可能とする可動間仕切り用吊りランナー装置に関し、特に、吊り部材の鉛直軸線回りに回転可能に装着された回転走行部材の支持機構に対する転がり運動によって間仕切りの移動を案内するようにした可動間仕切り用吊りランナー装置に関するものである。
【背景技術】
【０００２】
間仕切りには、所定の位置に据付・固定する固定式のものと、その場所を移動することができる可動式のものとがある。
可動式の間仕切りは、天井レールに可動間仕切り用吊りランナー装置（以下、単に「吊りランナー装置」と称する。）を介して吊設されており、吊りランナー装置により、天井レールに沿って移動可能とされている。
【０００３】
従来、上記の吊りランナー装置としては、鉛直軸線を有する吊りボルトと、この吊りボルトに鉛直軸線方向に移動可能に取り付けられる支持部材とを備え、吊りボルトを用いて間仕切りを吊り下げ支持するとともに、天井レールの案内面に接触するローラを支持部材の両端部に軸受を介して水平軸線回りに回転可能に装着することにより、間仕切りを天井レールに沿って移動可能としたものがある（例えば、特許文献１参照）。
また、天井レールの案内面に接触するローラを吊りボルトに軸受を介して鉛直軸線回りに回転可能に装着することにより、間仕切りを天井レールに沿って移動可能としたものもある（例えば、特許文献２参照）。
【先行技術文献】
【特許文献】
【０００４】
【特許文献１】特公平２−２８６５９号公報
【特許文献２】実開平４−５９２８７号公報
【０００５】
ところで、特許文献２に係る吊りランナー装置においては、吊りボルトに軸受が圧入によって嵌められて固定されており、軸受に対して吊りボルトを鉛直軸線方向に相対移動させることができない構造とされている。
このため、この吊りランナー装置では、間仕切りの吊りボルトへの吊り込みの際に、吊りボルトを鉛直軸線方向上向きに移動させて逃すことができず、吊りボルトと間仕切りとが干渉し、吊り込み作業が熟練を要する困難な作業になるという問題があった。
【発明の概要】
【発明が解決しようとする課題】
【０００６】
本発明は、上記従来の吊りランナー装置の有する問題点に鑑み、間仕切りの吊り込みの際に吊り部材との干渉を回避することができ、これによって間仕切りの吊り込み作業を容易に行うことができる可動間仕切り用吊りランナー装置を提供することを目的とする。
【課題を解決するための手段】
【０００７】
上記目的を達成するため、本発明の可動間仕切り用吊りランナー装置は、鉛直軸線を有する吊り部材を用いて支持機構の下方に配される間仕切りを吊り下げ支持するとともに、支持機構の案内面に接触する回転走行部材を、吊り部材に鉛直軸線回りに回転可能に装着することにより、間仕切りを支持機構に沿って移動可能とする可動間仕切り用吊りランナー装置において、前記支持機構は、吊り部材の上方に位置する天面板部を有してなり、回転走行部材に対応する軸受に対して吊り部材を鉛直軸線方向に相対移動可能として、間仕切りの吊り部材への吊り込みの際、吊り部材を鉛直軸線方向上向きに相対移動させる際に、吊り部材が支持機構の天面板部と干渉するのを回避するための逃げ部を天面板部に形成したことを特徴とする。
【０００８】
この場合において、吊り部材の鉛直軸線方向に沿って回転走行部材を上下に所定間隔をあけて配設し、これら回転走行部材に対応する上下の軸受の間隔を一定に保った状態でそれら軸受を連結する連結スリーブを吊り部材に摺動可能に装着することができる。
【０００９】
また、支持機構の天面板部に形成した逃げ部に、上昇した吊り部材によって押し開かれる蓋部材を設けることができる。
【００１０】
また、吊り部材が、吊りボルトからなり、該吊りボルトの螺子部に、鉛直軸線を基準に対称位置をなすように一対の平面部を形成されてなるようにすることができる。
【発明の効果】
【００１１】
本発明の可動間仕切り用吊りランナー装置によれば、回転走行部材に対して吊り部材が鉛直軸線方向に相対移動可能とされて、間仕切りの吊り部材への吊り込みの際に吊り部材が鉛直軸線方向上向きに移動されるようにすることにより、間仕切りの吊り込みの際に吊り部材との干渉を回避することができ、これによって間仕切りの吊り込み作業を容易に行うことができる。
【００１２】
そして、支持機構は、吊り部材の上方に位置する天面板部を有してなり、軸受に対して吊り部材を鉛直軸線方向上向きに相対移動させる際に、吊り部材が支持機構の天面板部と干渉するのを回避するための逃げ部を天面板部に形成することにより、軸受に対する吊り部材の鉛直軸線方向上向きへの相対移動量が増えたとしても、支持機構の天面板部と吊り部材との干渉を確実に回避でき、間仕切りの吊り込み作業をより容易に行うことができる。
【００１３】
また、吊り部材の鉛直軸線方向に沿って回転走行部材を上下に所定間隔をあけて配設し、これら回転走行部材に対応する上下の軸受の間隔を一定に保った状態でそれら軸受を連結する連結スリーブを吊り部材に摺動可能に装着することにより、回転走行部材を吊り部材に簡易かつ精度よく装着することができるとともに、軸受に対して吊り部材を鉛直軸線方向に相対移動可能とすることができる。
【００１４】
また、支持機構の天面板部に形成した逃げ部に、上昇した吊り部材によって押し開かれる蓋部材を設けることにより、蓋部材の執着の手間を省き、支持機構の天面板部と吊り部材との干渉を回避しながら、天面板部に形成した逃げ部を通して支持機構内に塵埃が侵入することを防止することができる。
【００１５】
また、吊り部材が、吊りボルトからなり、該吊りボルトの螺子部に、鉛直軸線を基準に対称位置をなすように一対の平面部を形成されてなるようにすることにより、間仕切りの昇降操作や固定を、スパナ等の締付工具や止め螺子を用いて簡易に行うことができる。
【図面の簡単な説明】
【００１６】
【図１】本発明の一実施形態に係る可動間仕切り用吊りランナー装置を用いて間仕切りを吊り下げ支持している状態を示し、（ａ）は正面図、（ｂ）は頂部の平面図である。
【図２】同可動間仕切り用吊りランナー装置を示す図で、（ａ）は一部を破断して示す正面図、（ｂ）は（ａ）のＡ−Ａ線断面図で平取り加工の場合を示す図、（ｃ）は（ａ）のＡ−Ａ線断面図でキー溝加工の場合を示す図である。
【図３】間仕切りの吊り込み作業を示す図で、（ａ）は吊りボルトの下方に間仕切りを位置決めした状態図、（ｂ）は間仕切りに内蔵のナット部材に吊りボルトを螺合した状態図である。
【図４】変形例に係る可動間仕切り用吊りランナー装置の一部を破断して示す正面図である。
【図５】参考例に係る可動間仕切り用吊りランナー装置を用いて間仕切りを吊り下げ支持している状態を示す正面図である。
【図６】同可動間仕切り用吊りランナー装置を示す図で、（ａ）は一部を破断して示す正面図、（ｂ）は（ａ）のＢ−Ｂ線断面図で平取り加工の場合を示す図、（ｃ）は（ａ）のＢ−Ｂ線断面図でキー溝加工の場合を示す図、（ｄ）は（ａ）のＣ−Ｃ断面図で平取り加工の場合を示す図、（ｅ）は（ａ）のＣ−Ｃ線断面図でキー溝加工の場合を示す図である。
【図７】間仕切りの吊り込み作業を示す図で、（ａ）は吊りボルトの下方に間仕切りを位置決めした状態図、（ｂ）は間仕切りに内蔵のナット部材に吊りボルトと連結したジョイントボルトを螺合した状態図である。
【発明を実施するための形態】
【００１７】
次に、本発明の可動間仕切り用吊りランナー装置（以下、単に「吊りランナー装置」と称する。）の実施の形態を、図面に基づいて説明する。
【００１８】
＜吊りランナー装置の概略説明＞
図１に示される吊りランナー装置１Ａは、鉛直軸線Ｏｐを有する吊り部材としての吊りボルト２を用いて支持機構としての天井レール３Ａの下方に配される間仕切り４を吊り下げ支持するとともに、天井レール３Ａの案内面に接触する回転走行部材としてのローラ５を、軸受６を介して吊りボルト２に鉛直軸線Ｏｐ回りに回転可能に装着することにより、間仕切り４を天井レール３Ａに沿って移動可能とするようにしている。
なお、回転走行部材には、ローラ５のほか、公知のベアリングを使用した回転部材等を用いることもできる。
【００１９】
＜天井レールの説明＞
天井レール３Ａは、例えば、アルミニウム製の型材からなり、室内の天井部に図示されない固定手段を介して組み付けられており、水平面上において所定の横幅寸法に比べて縦幅寸法が長い帯状の広がりを持つ天面板部３ａを備えている。
天面板部３ａには、後述する間仕切り４の吊り込み作業において、吊りボルト２を鉛直軸線Ｏｐ方向上向きに上昇させる際に、吊りボルト２との干渉を回避するための、吊りボルト２の頭部が挿通可能な任意の形状、例えば、丸孔、長孔や角孔等からなる逃げ部７が形成されている。
これにより、吊りボルト２の鉛直軸線Ｏｐ方向上向きへの上昇量が増えたとしても、天井レール３Ａの天面板部３ａと吊りボルト２との干渉を確実に回避することができる。
【００２０】
この逃げ部７には、必要に応じて、上昇した吊りボルト２によって押し開かれる蓋部材４０を設けることができる。
蓋部材４０は、ゴムや軟質の合成樹脂製のシート状部材からなり、これに切り込み４１を入れることによって、通常は逃げ部７を閉鎖するようにし、吊りボルト２が上昇したとき、吊りボルト２によって押し開かれるように構成されている。
これにより、蓋部材４０の執着の手間を省き、天井レール３Ａの天面板部３ａと吊りボルト２との干渉を回避しながら、天面板部３ａに形成した逃げ部７を通して天井レール３Ａ内に塵埃が侵入することを防止することができる。
【００２１】
天面板部３ａの両側縁には、鉛直下方に向けて垂れ下がるように左右の側面板部３ｂ，３ｃが連設され、各側面板部３ｂ，３ｃの下端縁には、内向きに張り出すように内折曲片部８，９が連設され、各内折曲片部８，９の先端縁には、天井パネル１０を支持するパネル支持片１１，１１が連設されている。
左側の側面板部３ｂにおいて、上下方向の中間位置における内表面には、該内表面から離れる方向に向かって下向きに傾斜するテーパ案内面１２ａを有する舌状片部１２が突設されている。
右側の側面板部３ｃの下端縁に連設された内折曲片部９の上面は、該内折曲片部９の先端に向かって下向きに傾斜するテーパ案内面９ａとされている。
【００２２】
＜ローラ、軸受の説明＞
ローラ５は、天井レール３Ａの内部における上段部分において舌状片部１２のテーパ案内面１２ａに接触して転動するように配設されるとともに、下段部分において内折曲片部９のテーパ案内面９ａに接触して転動するように配設されている。
ローラ５は、連通する形状のナイロン樹脂製の円筒状部材よりなり、その内周部には、軸受６が圧入により固定されている。
【００２３】
＜吊りボルトの説明＞
図２（ａ）に示されるように、吊りボルト２は、平坦な外周面を有して鉛直軸線Ｏｐ方向に延びる軸部２ａを備えている。
軸部２ａの上端側には、該軸部２ａの外径よりも大きい外径となるように径方向外側に張り出す所定厚みの鍔部２ｂが軸部２ａと同軸心をなして一体的に形成され、軸部２ａの下端側には、外周面に雄螺子を有する螺子部２ｃが軸部２ａと同軸心をなして一体的に形成されている。
螺子部２ｃには、鉛直軸線Ｏｐを基準に対称位置をなすように一対の平面部１５が、連通する形状の図２（ｂ）に示されるような平取り加工あるいは図２（ｃ）に示されるようなキー溝加工によって全長又は必要な領域に亘って形成されている。
なお、一対の平面部１５は、後述する止め螺子１７が押し付けられる押付面としての役目を有するとともに、後述する間仕切り４の吊り込み作業時に、吊りボルト２をナット部材１６にねじ込んでいく際において、スパナ等の締付工具を掛けるための係合面としての役目も有する。
【００２４】
図１に示されるように、吊りボルト２の螺子部２ｃは、間仕切り４内に組み込まれたナット部材１６の雌螺子に螺合され、螺子部２ｃの平面部１５に当接可能にナット部材１６にねじ込まれる止め螺子１７の締め付けにより、ナット部材１６と吊りボルト２とが、鉛直軸線Ｏｐ回りの相対回転が止められるように固定されて、ナット部材１６に吊りボルト２がねじ込まれた状態を緩ませることなく確実に保持されるようになっている。
【００２５】
＜連結スリーブの説明＞
図２に示されるように、吊りボルト２の軸部２ａには、連結スリーブ２０が鉛直軸線Ｏｐに沿って摺動可能に装着されている。
連結スリーブ２０は、所定長さ寸法で上下方向に延びる大径円筒部２０ａを備え、大径円筒部２０ａの上端側及び下端側には、それぞれ大径円筒部２０ａよりも小さい外径寸法の小径円筒部２０ｂが所定長さ寸法で上下方向に延びるように一体的に形成されている。
【００２６】
連結スリーブ２０には、天井レール３Ａの内部において上下に所定間隔をあけて配設される２つのローラ５に対応する上下の軸受６が、上下の小径円筒部２０ｂに大径円筒部２０ａを挟むように圧入により嵌め込まれて固定されている。
【００２７】
こうして、上下の軸受６の間隔を大径円筒部２０ａで一定に保った状態でそれら軸受６を連結する連結スリーブ２０を、吊りボルト２の軸部２ａに摺動可能に装着することにより、天井レール３Ａ内における上下のローラ５の配置間隔を一定に保つことができるとともに、上下の軸受６に対して吊りボルト２を鉛直軸線Ｏｐ方向に相対移動可能とすることができる。
【００２８】
＜間仕切りの吊り込み作業の説明＞
以上に述べた吊りランナー装置１Ａにおいて、間仕切り４の吊りボルト２への吊り込み作業について以下に説明する。
【００２９】
図３（ａ）に示されるように、連結スリーブ２０に対し吊りボルト２を摺動させて鉛直軸線Ｏｐ方向上向きに相対移動させ、間仕切り４と干渉しない高さ位置まで吊りボルト２を上昇させる。
このとき、間仕切り４と吊りボルト２とを干渉させないようにするため、連結スリーブ２０に対する吊りボルト２の鉛直軸線Ｏｐ方向上向きへの相対移動量（上昇量）を更に必要とする場合には、天井レール３Ａの天面板部３ａに形成された逃げ部７を通して吊りボルト２を上昇させるようにすればよい。
このように、間仕切り４と干渉しない高さ位置まで吊りボルト２を上昇させた後に、間仕切り４の内部に組み込まれたナット部材１６が吊りボルト２の下方に位置するように間仕切り４を位置決めする。
そして、図３（ｂ）に示されるように、吊りボルト２の螺子部２ｃをナット部材１６の雌螺子に螺合して、吊りボルト２をナット部材１６にねじ込んでいき、図１に示されるように、所定のねじ込み量に達したら、止め螺子１７の締め付けにより、ナット部材１６と吊りボルト２とを、鉛直軸線Ｏｐ回りの相対回転が止められるように固定して、ナット部材１６に吊りボルト２がねじ込まれた状態を緩ませることなく確実に保持するようにする。
こうして、間仕切り４の吊りボルト２への吊り込み作業が完了する。
【００３０】
＜作用効果の説明＞
本実施形態の吊りランナー装置１Ａによれば、天井レール３Ａの内部で上下に配設される２つのローラ５に対応する上下の軸受６の間隔を一定に保った状態でそれら軸受６を連結する連結スリーブ２０が吊りボルト２の軸部２ａに摺動可能に装着されることによってそれら軸受６に対して吊りボルト２が鉛直軸線Ｏｐ方向に相対移動可能とされて、間仕切り４の吊りボルト２への吊り込みの際に吊りボルト２が鉛直軸線Ｏｐ方向上向きに移動されるので、間仕切り４の吊り込みの際に吊りボルト２との干渉を回避することができ、間仕切り４の吊り込み作業を容易に行うことができる。
また、万一、吊りボルト２が破損した場合、従来は吊りボルトと軸受とをワンセットで交換する必要があったが、軸受６に対して吊りボルト２が鉛直軸線Ｏｐ方向に相対移動可能とされるので、吊りボルト２のみの交換が可能となり、ランニングコストを削減することができる。
【００３１】
〔変形例〕
図４には、変形例に係る可動間仕切り用吊りランナー装置の一部を破断して示す正面図が示されている。
なお、変形例に係る吊りランナー装置１Ｂにおいて、上記実施形態の吊りランナー装置１Ａと同一又は同様のものについては図に同一符号を付すに留めてその詳細な説明を省略することとし、以下においては、変形例に係る吊りランナー装置１Ｂに特有の部分を中心に説明することとする。
【００３２】
図４に示される吊りランナー装置１Ｂにおいては、吊りボルト２の軸部２ａと軸受６とを隙間嵌めにすることにより、軸部２ａに軸受６が摺動可能に外嵌されるとともに、上下の軸受６の間隔を一定以上に保つためのカラー２１が軸部２ａに同様にして摺動可能に外嵌され、これによって吊りボルト２がそれら軸受６に対して鉛直軸線Ｏｐ方向に相対移動可能とされている。
【００３３】
本変形例の吊りランナー装置１Ｂによっても、軸受６に対して吊りボルト２が鉛直軸線Ｏｐ方向に相対移動可能とされて、間仕切り４の吊りボルト２への吊り込みの際に吊りボルト２が鉛直軸線Ｏｐ方向上向きに移動されるので、上記実施形態の吊りランナー装置１Ａと同様の作用効果を得ることができる。
【００３４】
〔参考例〕
図５には、参考例に係る吊りランナー装置を用いて間仕切りを吊り下げ支持している状態を示す正面図が示されている。
なお、参考例に係る吊りランナー装置１Ｃにおいて、上記実施形態の吊りランナー装置１Ａと同一又は同様のものについては図に同一符号を付すに留めてその詳細な説明を省略することとし、以下においては、参考例に係る吊りランナー装置１Ｃに特有の部分を中心に説明することとする。
【００３５】
＜吊りランナー装置の概略説明＞
図５に示される吊りランナー装置１Ｃは、鉛直軸線Ｏｐを有する吊りボルト２を用いて天井レール３Ｂの下方に配される間仕切り４を吊り下げ支持するとともに、天井レール３Ｂの案内面に接触するローラ５を、軸受６を介して吊りボルト２に鉛直軸線Ｏｐ回りに回転可能に装着することにより、間仕切り４を天井レール３Ｂに沿って移動可能とする可動間仕切り用吊りランナー装置において、吊り部材を分離、かつ、軸方向の長さ調節可能な複数の部材で構成して、間仕切り４の吊り部材への吊り込みの際、吊り部材を構成する一部の部材を鉛直軸線方向に移動させるようにするようにしたもので、具体的には、吊りボルト２に分離可能に同軸心をなして連結されるとともに間仕切りに螺着可能なジョイントボルト３０を介して間仕切り４を吊り下げ支持するようにし、間仕切り４の吊りボルト２への吊り込みの際、吊りボルト２に対し分離状態にあるジョイントボルト３０の間仕切り４に対するねじ込み操作にて該ジョイントボルト３０を鉛直軸線Ｏｐ方向下向きに移動させるようにしている。
なお、天井レール３Ｂは、前述した天井レール３Ａと基本構造は同じであるが、天井レール３Ａでは設けられるパネル支持片１１が設けられておらず、その分、天井レール３Ａよりも高さ寸法が短いものとされている。
【００３６】
＜吊りボルトに対する軸受の取付構造の説明＞
図６に示されるように、吊りボルト２の軸部２ａには、鍔部２ｂに突き当てるように上側の軸受６が圧入によって嵌められて固定され、この上側の軸受６の下側に第１カラー３１を介在させた状態で順に配される下側の軸受６及び第２カラー３２がそれぞれ軸部２ａに圧入によって嵌められて固定されている。
こうして、鍔部２ｂ、第１カラー３１及び第２カラー３２によって吊りボルト２に対する上下の軸受６の取付位置や軸受６同士の間隔が定められた状態で、吊りボルト２に対し上下の軸受６が固定されている。
【００３７】
＜ジョイントボルトの説明＞
ジョイントボルト３０は、吊りボルト２の螺子部２ｃが螺合する雌螺子が形成された頭部３０ａを備えている。
図６（ｄ）に示されるように、頭部３０ａには、鉛直軸線Ｏｐを基準に対称位置をなすように一対の平面部３３が平取り加工等によって全長に亘って形成されている。
なお、一対の平面部３３は、後述する間仕切り４の吊り込み作業時に、吊りボルト２に連結された状態のジョイントボルト３０をナット部材１６にねじ込んでいく際に、スパナ等の締付工具を掛けるための係合面としての役目をする。
頭部３０ａの下端側には、外周面に雄螺子を有する螺子部３０ｂが頭部３０ａと同軸心をなして一体的に形成されている。
螺子部３０ｂには、鉛直軸線Ｏｐを基準に対称位置をなすように一対の平面部３４が、連通する形状の図６（ｄ）に示されるような平取り加工あるいは図６（ｅ）に示されるようなキー溝加工によって全長に亘って形成されている。
【００３８】
図５に示されるように、吊りボルト２の螺子部２ｃは、ジョイントボルト３０の頭部３０ａの雌螺子に螺合され、螺子部２ｃの平面部１５に当接可能に頭部３０ａにねじ込まれる止め螺子３５の締め付けにより、吊りボルト２とジョイントボルト３０とが、鉛直軸線Ｏｐ回りの相対回転が止められるように固定されて、ジョイントボルト３０に吊りボルト２がねじ込まれた状態を緩ませることなく確実に保持されるようになっている。
また、ジョイントボルト３０の螺子部３０ｂは、間仕切り４内に組み込まれたナット部材１６の雌螺子に螺合され、螺子部３０ｂの平面部３４に当接可能にナット部材１６にねじ込まれる止め螺子１７の締め付けにより、ジョイントボルト３０とナット部材１６とが、鉛直軸線Ｏｐ回りの相対回転が止められるように固定されて、ナット部材１６にジョイントボルト３０がねじ込まれた状態を緩ませることなく確実に保持されるようになっている。
【００３９】
＜間仕切りの吊り込み作業の説明＞
以上に述べた吊りランナー装置１Ｃにおいて、間仕切り４の吊りボルト２への吊り込み作業について以下に説明する。
【００４０】
図７（ａ）に示されるように、吊りボルト２に対し分離状態にあるジョイントボルト３０を、間仕切り４内に組み込まれたナット部材１６にねじ込むことにより、ジョイントボルト３０を鉛直軸線Ｏｐ方向下向きに移動させて、吊りボルト２と干渉しない高さ位置までジョイントボルト３０を下降させる。
このように、吊りボルト２と干渉しない高さ位置までジョイントボルト３０を下降させた後に、ナット部材１６にねじ込まれたジョイントボルト３０が吊りボルト２の下方に位置するように間仕切り４を位置決めする。
次いで、図７（ｂ）に示されるように、ナット部材１６にねじ込まれている状態のジョイントボルト３０を緩める方向に操作してジョイントボルト３０を鉛直軸線Ｏｐ方向上向きに移動させ、吊りボルト２の螺子部２ｃとジョイントボルト３０の頭部３０ａの雌螺子とを螺合させるように更にジョイントボルト３０を緩める方向に操作する。
ジョイントボルト３０に対する吊りボルト２のねじ込み量が所定量に達したら、止め螺子３５の締め付けにより、吊りボルト２とジョイントボルト３０とを、鉛直軸線Ｏｐ回りの相対回転が止められるように固定して、ジョイントボルト３０に吊りボルト２がねじ込まれた状態を緩ませることなく確実に保持するようにする。
そして、吊りボルト２に連結された状態のジョイントボルト３０をナット部材１６にねじ込んでいき、図５に示されるように、所定のねじ込み量に達したら、止め螺子１７の締め付けにより、ナット部材１６と吊りボルト２とを鉛直軸線Ｏｐ回りの相対回転が止められるように固定して、ナット部材１６に吊りボルト２がねじ込まれた状態を緩ませることなく確実に保持するようにする。
こうして、間仕切り４の吊りボルト２への吊り込み作業が完了する。
【００４１】
＜作用効果の説明＞
参考例の吊りランナー装置１Ｃによれば、吊りボルト２にジョイントボルト３０を介して間仕切り４が吊り下げ支持される構造とされ、間仕切り４の吊りボルト２への吊り込みの際、吊りボルト２に対し分離状態にあるジョイントボルト３０の間仕切り４に対するねじ込み操作によって該ジョイントボルト３０が鉛直軸線Ｏｐ方向下向きに移動されるので、間仕切り４の吊り込みの際に吊りボルト２との干渉を回避することができ、これによって間仕切り４の吊り込み作業を容易に行うことができる。
【００４２】
以上、本発明の吊りランナー装置について、その実施形態に基づいて説明したが、本発明は上記実施形態に記載した構成に限定されるものではなく、その趣旨を逸脱しない範囲において適宜その構成を変更することができるものである。
【００４３】
例えば、上記の一実施形態においては、パネル支持片１１を有する天井レール３Ａに吊りランナー装置１Ａを組み込む態様例を示したが、パネル支持片１１を有しておらずその分高さ寸法が短い天井レール３Ｂに吊りランナー装置１Ａを組み込む態様例もあり得る。
この場合、従来では、高さ寸法の異なる２種類の天井レール３Ａ，３Ｂに対し、それぞれ異なった長さの吊りボルトに軸受を圧入したものを容易する必要があるが、吊りボルト２が軸受６に対して相対移動可能で固定されておらず容易に交換できるため、異なる長さの２種類の吊りボルト２のみを用意するだけで済むという利点がある。
【産業上の利用可能性】
【００４４】
本発明の吊りランナー装置は、間仕切りの吊り込みの際に吊りボルトとの干渉を回避することができ、これによって間仕切りの吊り込み作業を容易に行うことができるという特性を有していることから、天井レールに沿って移動可能な可動式間仕切りの吊り下げ支持の用途に好適に用いることができる。
【符号の説明】
【００４５】
１Ａ〜１Ｃ  可動間仕切り用吊りランナー装置
２  吊りボルト（吊り部材）
３Ａ，３Ｂ  天井レール（支持機構）
３ａ  天面板部
４  間仕切り
５  ローラ（回転走行部材）
６  軸受
７  逃げ部
９ａ，１２ａ  テーパ案内面（案内面）
２０  連結スリーブ
３０  ジョイントボルト
４０  蓋部材
【図１】
0006316699.tif 000002
【図２】
0006316699.tif 000003
【図３】
0006316699.tif 000004
【図４】
0006316699.tif 000005
【図５】
0006316699.tif 000006
【図６】
0006316699.tif 000007
【図７】
0006316699.tif 000008